(57)【要約】  睡眠の期間中に温度センサ１１により測定される体温情報を、同じく睡眠の期間中に動き検出センサ１２により検出される動き情報に関連付けて記憶媒体１４に記録する情報記録部１３と、当該記憶媒体１４に記録された動き情報を分析して使用者の起床タイミングを検出し、当該起床タイミングの直前に測定された体温情報を基礎体温として特定する基礎体温特定部１５とを備え、使用者の体温を睡眠中の安静状態下で測定して記憶媒体１４に記録することができるようにし、しかも、起床直前に記録された体温を基礎体温として特定することができるようにする。
2017163300.tif 000002
【特許請求の範囲】
【請求項１】
睡眠の期間中に使用者の身体に装着して基礎体温を測定するための装置を備えた基礎体温測定システムであって、
上記身体の温度を測定する温度センサと、
上記身体の動きを検出する動き検出センサと、
上記温度センサにより測定される体温情報を、上記動き検出センサにより検出される動き情報に関連付けて記憶媒体に記録する情報記録部と、
上記記憶媒体に記録された動き情報を分析して使用者の起床タイミングを検出し、当該起床タイミングの直前に測定された体温情報を上記基礎体温として特定する基礎体温特定部とを備えたことを特徴とする基礎体温測定システム。
【請求項２】
上記基礎体温特定部により特定された上記基礎体温を記憶媒体に記録する第２の情報記録部を更に備えたことを特徴とする請求項１に記載の基礎体温測定システム。
【請求項３】
上記温度センサにより測定される上記体温情報または上記動き検出センサにより検出される上記動き情報の少なくとも一方に基づいて、上記使用者がレム睡眠状態にあるかノンレム睡眠状態にあるかを判定する睡眠状態判定部を更に備え、
上記情報記録部は、上記睡眠状態判定部により上記ノンレム睡眠状態から上記レム睡眠状態へ移行したと判定されたときに、上記体温情報および上記動き情報の上記記憶媒体への記録を開始することを特徴とする請求項１に記載の基礎体温測定システム。
【請求項４】
上記記憶媒体に記録された上記体温情報または上記動き情報の少なくとも一方に基づいて、上記基礎体温特定部により特定された上記基礎体温の測定タイミングにおいて、上記使用者がレム睡眠状態であったかノンレム睡眠状態であったかを判定する第２の睡眠状態判定部を更に備えたことを特徴とする請求項１に記載の基礎体温測定システム。
【請求項５】
上記基礎体温特定部により特定された上記基礎体温を、上記第２の睡眠状態判定部により判定された睡眠状態を表す情報と共に記憶媒体に記録する第２の情報記録部を更に備えたことを特徴とする請求項４に記載の基礎体温測定システム。
【請求項６】
上記温度センサ、上記動き検出センサ、上記記憶媒体および上記情報記録部が携帯型の基礎体温測定装置に備えられ、上記基礎体温特定部が上記基礎体温測定装置に対して無線または有線で接続される外部コンピュータに備えられることを特徴とする請求項１に記載の基礎体温測定システム。
【請求項７】
睡眠の期間中に使用者の身体に装着して基礎体温を測定するための基礎体温測定装置であって、
上記身体の温度を測定する温度センサと、
上記身体の動きを検出する動き検出センサと、
上記温度センサにより測定される体温情報を、上記動き検出センサにより検出される動き情報に関連付けて記憶媒体に記録する情報記録部と、
上記記憶媒体に記録された動き情報を分析して使用者の起床タイミングを検出し、当該起床タイミングの直前に測定された体温情報を上記基礎体温として特定する基礎体温特定部とを備えたことを特徴とする基礎体温測定装置。
【請求項８】
上記基礎体温特定部により特定された上記基礎体温を記憶媒体に記録する第２の情報記録部を更に備えたことを特徴とする請求項７に記載の基礎体温測定装置。
【請求項９】
上記温度センサにより測定される上記体温情報または上記動き検出センサに検出される上記動き情報の少なくとも一方に基づいて、上記使用者がレム睡眠状態にあるかノンレム睡眠状態にあるかを判定する睡眠状態判定部を更に備え、
上記情報記録部は、上記睡眠状態判定部により上記ノンレム睡眠状態から上記レム睡眠状態へ移行したと判定されたときに、上記体温情報および上記動き情報の上記記憶媒体への記録を開始することを特徴とする請求項７に記載の基礎体温測定装置。
【請求項１０】
上記記憶媒体に記録された上記体温情報または上記動き情報の少なくとも一方に基づいて、上記基礎体温特定部により特定された上記基礎体温の測定タイミングにおいて、上記使用者がレム睡眠状態であったかノンレム睡眠状態であったかを判定する第２の睡眠状態判定部を更に備えたことを特徴とする請求項７に記載の基礎体温測定装置。
【請求項１１】
上記基礎体温特定部により特定された上記基礎体温を、上記第２の睡眠状態判定部により判定された睡眠状態を表す情報と共に記憶媒体に記録する第２の情報記録部を更に備えたことを特徴とする請求項１０に記載の基礎体温測定装置。
【発明の詳細な説明】
【技術分野】
【０００１】
本発明は、基礎体温測定システムおよび基礎体温測定装置に関し、特に、睡眠の期間中に使用者の身体に装着して基礎体温を測定するための装置およびシステムに関するものである。
【背景技術】
【０００２】
人間の基礎体温は、活動による体温変化などの要因を排除し、生命維持に必要な最小限のエネルギーしか消費していない安静状態で測定した体温のことをいう。女性の場合、基礎体温は排卵サイクルとの関連が深い。そのため、妊娠または非妊娠を希望している女性の参考用、月経不順の原因分析や経過観察など、基礎体温は様々な目的で利用される。最近では、美容や健康状態の調整用にも基礎体温が利用されることがある。【０００３】
通常、女性の基礎体温は、病気や重いストレスがあるときなどを除けば、ほぼ０．３〜０．５度の間で周期的に変化している。この基礎体温を毎日測定してリズム（体温の変化）を知ることにより、排卵の有無や月経の時期、妊娠しやすい時期など、身体の状態を把握することが可能となる。【０００４】
このように細かい値の変化を正確に捉える必要があるため、基礎体温は、身体を安静にした状態で測るのが通常である。具体的な測定方法としては、十分な睡眠をとった起床直後、まだ身体を動かす前で身体の内部が休んでいる状態のとき、布団に寝たままの状態で測定することが推奨されている。【０００５】
従来、目覚まし時計の設定時刻の５分前（温度センサが体温を測定するために要する標準的な時間）になったタイミングで各種センサを起動し、使用者が基礎体温を測定しようとしているか否かをこれらのセンサによって判定し、測定を忘れている可能性がある場合に警告を行うようにした技術が提案されている（例えば、特許文献１参照）。【０００６】
この特許文献１に記載の技術によれば、起床直後に、使用者が忘れることなく基礎体温を測定するよう促すことができる。しかしながら、この特許文献１に記載の技術では、目覚まし時計によって無理に起こされた後、または、装置から警告を受けた後に基礎体温を測定することになるため、安静状態下での測定ということはできない。【０００７】
これに対し、下着内部の収納ポケットに体温測定装置を装着して就寝し、睡眠中に基礎体温を測定してメモリに記録するようにした技術も提案されている（例えば、特許文献２参照）。この特許文献２には、加速度センサにより使用者の入眠を確認した後に、測温素子により体温の測定を開始することも記載されている。この特許文献２に記載の技術によれば、睡眠中の安静状態下で基礎体温を測定することができる。【０００８】
【特許文献１】特開２０１２−２２０２８７号公報
【特許文献２】特開２００５−１６４４０５号公報
【発明の開示】
【０００９】
しかしながら、上記特許文献２に記載の技術では、使用者が入眠してから起床するまでの間ずっと体温を測定しており、その間のどの時間帯の体温を基礎体温として把握するかを特定できない。体温は寝返り等のほんの微妙な動きでも変わってしまうため、入眠から起床までの間に測定される体温には変動がある。特許文献２の場合は、この変動している体温のどれを基礎体温するかを特定できないという問題がある。
【００１０】
本発明は、このような問題を解決するために成されたものであり、基礎体温を安静状態下で正確に測定することができるようにすることを目的とする。
【００１１】
上記した課題を解決するために、本発明では、睡眠の期間中に温度センサにより測定される体温情報を、同じく睡眠の期間中に動き検出センサにより検出される動き情報に関連付けて記憶媒体に記録した後、当該記憶媒体に記録された動き情報を分析して使用者の起床タイミングを検出し、当該起床タイミングの直前に測定された体温情報を基礎体温として特定するようにしている。
【００１２】
上記のように構成した本発明によれば、使用者の体温を睡眠中の安静状態下で測定して記憶媒体に記録することができ、しかも、起床直前に記録された体温を基礎体温として特定することができる。このため、起床直前の安静状態の下で測定した正しい基礎体温を得ることができる。
【図面の簡単な説明】
【００１３】
【図１】第１の実施形態による基礎体温測定装置の機能構成例を示すブロック図である。
【図２】第１〜第３の実施形態による基礎体温測定装置の外観構成例を示す図である。
【図３】基礎体温特定部の処理例を示す図である。
【図４】第１の実施形態による基礎体温測定システムの構成例を示すブロック図である。
【図５】第２の実施形態による基礎体温測定装置の機能構成例を示すブロック図である。
【図６】第３の実施形態による基礎体温測定装置の機能構成例を示すブロック図である。
【発明を実施するための最良の形態】
【００１４】
（第１の実施形態）
以下、本発明の第１の実施形態を図面に基づいて説明する。図１は、第１の実施形態による基礎体温測定装置の機能構成例を示すブロック図である。図２は、第１の実施形態による基礎体温測定装置の外観構成例を示す図である。【００１５】
第１の実施形態による基礎体温測定装置１０は、睡眠の期間中に使用者の身体に装着して基礎体温を測定するためのものである。図２に示すように、筐体の表面には温度センサ１１が設けられており、この温度センサ１１が使用者の身体に触れるように基礎体温測定装置１０を装着する。例えば、使用者の胸部または腹部に温度センサ１１が触れるように基礎体温測定装置１０を装着して体温を測定する。【００１６】
なお、睡眠中に基礎体温測定装置１０が身体からずれ落ちないように、基礎体温測定装置１０を身体に固定するためのベルト２１が備えられている。ここではベルト２１を用いているが、固定方法はこれに限定されない。例えば、テープ等を使って基礎体温測定装置１０を身体に固定するようにしてもよい。【００１７】
図１に示すように、第１の実施形態による基礎体温測定装置１０は、その機能構成として、温度センサ１１、動き検出センサ１２、情報記録部１３、記憶媒体１４、基礎体温特定部１５および第２の情報記録部１６を備えている。このうち、情報記録部１３、基礎体温特定部１５および第２の情報記録部１６の機能ブロックは、ハードウェア、ＤＳＰ（Digital Signal Processor）、ソフトウェアの何れによっても構成することが可能である。【００１８】
例えばソフトウェアによって構成する場合、上記各機能ブロック１３，１５，１６は、実際にはコンピュータのＣＰＵ、ＲＡＭ、ＲＯＭなどを備えて構成され、ＲＡＭやＲＯＭ、ハードディスクまたは半導体メモリ等の記憶媒体に記憶されたプログラムが動作することによって実現される。このプログラムが記憶される記憶媒体は、記憶媒体１４と同じものであってもよいし、別のものであってもよい。【００１９】
温度センサ１１は、睡眠中に使用者の身体の温度を測定する。動き検出センサ１２は、睡眠中における使用者の身体の動きを検出する。この動き検出センサ１２は、一例として、加速度センサにより構成することが可能である。使用者の身体が動くと、加速度センサは、動いたときに生じる加速度を検出し、加速度情報を出力する。【００２０】
情報記録部１３は、温度センサ１１により測定される体温情報を、動き検出センサ１２に検出される動き情報（加速度情報）に関連付けて記憶媒体１４に記録する。記憶媒体１４は、ハードディスクまたは半導体メモリ等の不揮発性の記憶媒体である。【００２１】
体温情報と動き情報との関連付けは、例えば、測定時刻を介して行うことが可能である。具体的には、情報記録部１３は、温度センサ１１および動き検出センサ１２からそれぞれ入力される体温情報および動き情報を、所定の時間間隔（例えば、３０秒間隔）でタイムスタンプと共に記憶媒体１４に記録する。【００２２】
なお、体温情報と動き情報とを関連付けるために用いる情報は、上述のタイムスタンプに限定されない。例えば、タイムスタンプに代えて、測定の開始から所定の時間間隔ごとに順次発行する連番のような単純な識別子を用いるようにしてもよい。【００２３】
基礎体温特定部１５は、記憶媒体１４に記録された動き情報を分析して使用者の起床タイミングを検出し、当該起床タイミングの直前に測定された体温情報を基礎体温として特定する。【００２４】
図３は、この基礎体温特定部１５の処理例を示す図である。図３は、動き検出センサ１２として加速度センサを用いた場合に得られる加速度情報を示している。なお、ここではイメージとして分かりやすいように、動き検出センサ１２により得られる時系列の加速度情報を連続的な波形として図示しているが、実際には３０秒ごとの離散的なデータとして記憶媒体１４に記録されている。【００２５】
例えば、基礎体温測定装置１０を使用者の胸部に装着した場合、使用者の呼吸に伴う胸部の動きにより、呼吸の周期に合わせて比較的小さい振幅の加速度情報が動き検出センサ１２により検出され、情報記録部１３によって記憶媒体１４に記録される（期間Ｔ１，Ｔ３）。期間Ｔ１，Ｔ３は、使用者が身体を動かすことなく安静して睡眠している期間である。【００２６】
また、睡眠中に使用者が寝返りをすると、その瞬間は比較的大きな振幅の加速度情報が動き検出センサ１２により検出され、情報記録部１３によって記憶媒体１４に記録される（期間Ｔ２）。さらに、使用者が起床をすると、比較的大きな振幅の加速度情報が長い時間にわたって動き検出センサ１２により検出され、情報記録部１３によって記憶媒体１４に記録される（期間Ｔ４）。【００２７】
基礎体温特定部１５は、記憶媒体１４に記録された図３に示すような加速度情報に基づいて、比較的大きな振幅の加速度情報が長い時間続いている期間Ｔ４の開始タイミングを使用者の起床タイミングとして検出し、その起床タイミングの直前のタイミングｔに測定された体温情報を基礎体温として特定する。すなわち、タイミングｔのタイムスタンプに関連付けて記憶媒体１４に記録された体温情報を、使用者の基礎体温として特定する。【００２８】
タイミングｔは、使用者が安静状態にある期間Ｔ３に含まれるタイミングである。よって、このタイミングｔに記録された体温を基礎体温として特定することにより、使用者が睡眠中の安静状態下で測定した正しい基礎体温を得ることができる。【００２９】
基礎体温特定部１５は、特定した使用者の基礎体温を第２の情報記録部１６に通知する。第２の情報記録部１６は、基礎体温特定部１５から通知された基礎体温を、測定日を表すカレンダ情報に関連付けて記憶媒体１４に記録する。この基礎体温を毎日測定して記録することにより、基礎体温の変化のリズムを把握することが可能となる。【００３０】
なお、記憶媒体１４に記録された情報（体温情報および動き情報、特定された基礎体温情報）は、図示しない外部コンピュータに出力して利用することが可能である。あるいは、基礎体温測定装置１０自体にディスプレイを設け、記憶媒体１４に記録された情報をグラフィック的に可視化して表示できるようにしてもよい。【００３１】
以上詳しく説明したように、第１の実施形態では、睡眠の期間中に温度センサ１１により測定される体温情報を、同じく睡眠の期間中に動き検出センサ１２に検出される動き情報に関連付けて記憶媒体１４に記録した後、当該記憶媒体１４に記録された動き情報を分析して使用者の起床タイミングを検出し、当該起床タイミングの直前に測定された体温情報を基礎体温として特定するようにしている。【００３２】
このように構成した第１の実施形態によれば、使用者の体温を睡眠中の安静状態下で測定して記憶媒体１４に記録することができ、しかも、起床直前に記録された体温を基礎体温として特定することができる。このため、起床直前の安静状態の下で測定した正しい基礎体温を得ることができる。【００３３】
上述したように、基礎体温は、少しの体動があっても変わってしまう可能性がある。そのため、基礎体温としては、使用者が眠っていて身体が動いていないときの体温を取得するのが望ましい。しかし、従来は起床した後に基礎体温を測定していたため、本当の意味での基礎体温を測定することはできなかった。これに対し、第１の実施形態によれば、真の基礎体温を測定することが可能である。【００３４】
なお、上記実施形態では、温度センサ１１、動き検出センサ１２、情報記録部１３、記憶媒体１４、基礎体温特定部１５および第２の情報記録部１６の全てを基礎体温測定装置１０が備える構成を示したが、本発明はこれに限定されない。例えば、図４に示すように、温度センサ１１、動き検出センサ１２、情報記録部１３および記憶媒体１４を携帯型の基礎体温測定装置１０’が備え、当該基礎体温測定装置１０’に対して無線または有線で接続される外部コンピュータ２０が基礎体温特定部１５、第２の情報記録部１６および記憶媒体４１を備えるシステム構成としてもよい。【００３５】
この場合、基礎体温測定装置１０’と外部コンピュータ２０との間は、例えばＵＳＢ（Universal Serial Bus）などのケーブルを介して接続することが可能である。または、基礎体温測定装置１０’と外部コンピュータ２０との双方にＢｌｕｅｔｏｏｔｈ（登録商標）や無線ＬＡＮ等の無線通信手段を備え、基礎体温測定装置１０’から外部コンピュータ２０に対して、記憶媒体１４に記録された情報を無線で送信できるようにしてもよい。あるいは、基礎体温測定装置１０’と外部コンピュータ２０との双方にインターネット接続手段を備え、記憶媒体１４に記録された情報を基礎体温測定装置１０’からインターネット上のサーバ装置（図示せず）にアップロードし、これを外部コンピュータ２０がサーバ装置からダウンロードできるようにしてもよい。【００３６】
（第２の実施形態）
次に、本発明の第２の実施形態を図面に基づいて説明する。図５は、第２の実施形態による基礎体温測定装置１０Ａの機能構成例を示すブロック図である。なお、この図５において、図１に示した符号と同一の符号を付したものは同一の機能を有するものであるので、ここでは重複する説明を省略する。基礎体温測定装置１０Ａの外観構成は、図２と同様である。【００３７】
図５に示すように、第２の実施形態による基礎体温測定装置１０Ａは、その機能構成として、睡眠状態判定部５１を更に備えている。また、情報記録部１３に代えて情報記録部１３Ａを備えている。【００３８】
睡眠状態判定部５１は、温度センサ１１により測定される体温情報に基づいて、使用者がレム睡眠状態にあるかノンレム睡眠状態にあるかを判定する。レム睡眠とは、身体は眠っているのに脳は起きている状態であり、眠りが浅い状態をいう。ノンレム睡眠とは、脳が眠っている状態であり、眠りが深い状態をいう。【００３９】
このレム睡眠およびノンレム睡眠と体温との間には相関があることが知られている。すなわち、人はまず眠りに入ると、体温が急激に１度くらい下がり、深い眠りであるノンレム睡眠に入っていく。その後、９０分くらい経過すると、浅い眠りであるレム睡眠に移行する。このノンレム睡眠とレム睡眠とのリズムを１つの睡眠周期として、これが一晩のうちに４〜５回くり返される。レム睡眠の期間は、最初の睡眠周期では２〜３分程度と短く、睡眠周期が繰り返されるごとに長くなる。【００４０】
入眠した直後に体温が急激に１度くらい下がった後も、体温は微妙に上下する。ノンレム睡眠に入っていくときには、発汗作用が活発になり、体温は下がる。一方、ノンレム睡眠からレム睡眠になっていくときに、体温は上昇する。したがって、睡眠状態判定部５１は、温度センサ１１により測定される体温が低下状態にあるか、上昇状態にあるかを監視することによって、使用者がレム睡眠状態にあるかノンレム睡眠状態にあるかを判定することが可能である。【００４１】
情報記録部１３Ａは、睡眠状態判定部５１によりノンレム睡眠状態からレム睡眠状態へ移行したと判定されたときに、体温情報および動き情報の記憶媒体１４への記録を開始する。使用者が目覚まし時計等を使わずに自然に起きる場合、眠りの浅いレム睡眠の期間中に起きる可能性が高い。そこで、ノンレム睡眠状態からレム睡眠状態への移行を検知したときに記憶媒体１４への記録を開始すれば、無駄な記録を極力せずに、起床直前の安静状態における基礎体温を測定および記録することができる。【００４２】
なお、一晩の睡眠中にレム睡眠は４〜５回生じるので、例えば４回目のレム睡眠への移行を検知したときに記憶媒体１４への記録を開始するようにしてもよい。あるいは、使用者が予定している睡眠時間から何回の睡眠周期があるかを考慮して、ｎ回目（ｎは１〜５の所望の値）のレム睡眠から記録を開始することを使用者が基礎体温測定装置１０Ａに対して指定できるようにしてもよい。また、別の例として、各レム睡眠期間中は記憶媒体１４への記録動作を行い、各ノンレム睡眠期間中は記録動作を行わないようにしてもよい。【００４３】
上記第２の実施形態では、温度センサ１１により測定される体温情報に基づいてレム睡眠状態／ノンレム睡眠状態を判定する例について説明したが、体温情報に代えてまたは加えて、動き検出センサ１２により検出される動き情報に基づいて、レム睡眠状態／ノンレム睡眠状態を判定するようにしてもよい。【００４４】
上述したように、レム睡眠は、身体は眠っているのに脳は起きている状態である。そのため、レム睡眠中は、身体は殆ど動かない。これに対し、ノンレム睡眠は、脳が眠っている状態であり、身体を支える筋肉は働いており、寝返りを打つことができる。したがって、睡眠状態判定部５１は、動き検出センサ１２により身体の動きが検出されるか否かを監視することによって、使用者がレム睡眠状態にあるかノンレム睡眠状態にあるかを判定することが可能である。【００４５】
また、上記第２の実施形態においても図４と同様に、温度センサ１１、動き検出センサ１２、情報記録部１３Ａ、記憶媒体１４および睡眠状態判定部５１を含む基礎体温測定装置１０Ａ’と、基礎体温特定部１５、第２の情報記録部１６および記憶媒体４１を含む外部コンピュータ２０とを備えたシステム構成としてもよい。【００４６】
（第３の実施形態）
次に、本発明の第３の実施形態を図面に基づいて説明する。図６は、第３の実施形態による基礎体温測定装置１０Ｂの機能構成例を示すブロック図である。なお、この図６において、図１に示した符号と同一の符号を付したものは同一の機能を有するものであるので、ここでは重複する説明を省略する。基礎体温測定装置１０Ｂの外観構成は、図２と同様である。【００４７】
図６に示すように、第３の実施形態による基礎体温測定装置１０Ｂは、その機能構成として、第２の睡眠状態判定部６１を更に備えている。また、第２の情報記録部１６に代えて第２の情報記録部１６Ｂを備えている。【００４８】
第２の睡眠状態判定部６１は、記憶媒体１４に記録された体温情報または動き情報の少なくとも一方に基づいて、基礎体温特定部１５により特定された基礎体温の測定タイミング（図３のタイミングｔ）において、使用者がレム睡眠状態であったかノンレム睡眠状態であったかを判定する。その判定方法は、第２の実施形態で説明した通りである。第２の睡眠状態判定部６１は、判定した睡眠状態を第２の情報記録部１６Ｂに通知する。【００４９】
第２の情報記録部１６Ｂは、基礎体温特定部１５により特定された基礎体温を、第２の睡眠状態判定部６１により判定された睡眠状態（レム睡眠状態またはノンレム睡眠状態の何れか）を表す情報と共に記憶媒体１４に記録する。【００５０】
上述のように、使用者が目覚まし時計を使わずに自然に起きる場合、眠りの浅いレム睡眠の期間中に起きる可能性が高い。しかし、常にそうであるとは限らない。そこで、タイミングｔで測定した基礎体温がレム睡眠中のものであるかノンレム睡眠中のものであるかを記録として残すことにより、記録された基礎体温がノンレム睡眠中の低めの体温なのか、レム睡眠中の高めの体温なのかを把握することができる。【００５１】
また、上記第３の実施形態においても図４と同様に、温度センサ１１、動き検出センサ１２、情報記録部１３および記憶媒体１４を含む基礎体温測定装置１０Ｂ’と、基礎体温特定部１５、第２の情報記録部１６Ｂ、記憶媒体４１および第２の睡眠状態判定部６１を含む外部コンピュータ２０とを備えたシステム構成としてもよい。【００５２】
なお、上記第１〜第３の実施形態では、動き検出センサ１２の一例として加速度センサを用い、図３に示すような加速度情報に基づいて使用者の起床タイミングを検出する例について説明したが、本発明はこれに限定されない。例えば、加速度センサに代えてまたは加えて、角速度センサ（ジャイロセンサ）を用いてもよい。【００５３】
例えば、ジャイロセンサによって使用者の姿勢を検出する場合、横になって眠っているときと、起床して起立したときでは姿勢に大きな変化が生じる。このため、基礎体温特定部１５は、この姿勢の大きな変化が生じたときを起床タイミングとして検出し、当該起床タイミングの直前に測定された体温情報を基礎体温として特定することが可能である。【００５４】
その他、上記第１〜第３の実施形態は、何れも本発明を実施するにあたっての具体化の一例を示したものに過ぎず、これらによって本発明の技術的範囲が限定的に解釈されてはならないものである。すなわち、本発明はその要旨、またはその主要な特徴から逸脱することなく、様々な形で実施することができる。
【符号の説明】
【００５５】
１０，１０’，１０Ａ，１０Ｂ  基礎体温測定装置
１１  温度センサ
１２  動き検出センサ
１３，１３Ａ  情報記録部
１４  記憶媒体
１５  基礎体温特定部
１６，１６Ｂ  第２の情報記録部
２０  外部コンピュータ
５１  睡眠状態判定部
６１  第２の睡眠状態判定部
【図１】
2017163300.tif 000003
【図２】
2017163300.tif 000004
【図３】
2017163300.tif 000005
【図４】
2017163300.tif 000006
【図５】
2017163300.tif 000007
【図６】
2017163300.tif 000008
【国際調査報告】
2017163300.tif 000009
2017163300.tif 000010
2017163300.tif 000011
2017163300.tif 000012